(57)【特許請求の範囲】
【請求項１】
ハンガーレールに多数のランナーを支持し、前記各ランナーにスラットを吊下支持する吊下軸を回転可能に支持し、チルト軸を操作装置で回転操作可能とし、前記各ランナーには前記チルト軸の回転を前記吊下軸に伝達するギヤ機構を設け、前記チルト軸と吊下軸とギヤ機構とにより前記スラットを回動するチルト装置を構成し、前記操作装置の操作により前記チルト装置を介して前記スラットを回動操作可能とした縦型ブラインドにおいて、
前記スラットで第一及び第二のスラット群を構成し、前記チルト装置には第二のスラット群に対し第一のスラット群の回動開始タイミングを遅延させる回動遅延装置を備え、
前記ギヤ機構は、前記チルト軸の回転を前記吊下軸に伝達するウォーム機構で構成し、前記ウォーム機構のウォームに挿通孔を設けて前記チルト軸を挿通し、前記回動遅延装置を前記第一のスラット群を吊下支持するランナーのギヤ機構にのみ設け、前記回動遅延装置は前記第一のスラット群を吊下支持するランナーのウォームと前記チルト軸との間に、前記チルト軸を所定角度の範囲で空回り可能とする空回り手段を備えたことを特徴とする縦型ブラインド。
【請求項２】
前記空回り手段は、
前記チルト軸に形成した断面平板状の第一軸部と、
前記第一軸部を所定角度の範囲で空回り可能とする挿通孔と
を備えたことを特徴とする請求項１記載の縦型ブラインド。
【請求項３】
前記空回り手段は、
前記第一及び第二のスラット群のランナーに挿通するチルト軸を共通の断面形状とし、前記第一のスラット群を吊下支持するランナーのウォームに前記チルト軸を空回りさせる挿通孔を設け、前記第二のスラット群を吊下支持するランナーのウォームに前記チルト軸を空回りさせない挿通孔を備えたことを特徴とする請求項１記載の縦型ブラインド。
【請求項４】
ハンガーレールに多数のランナーを支持し、前記各ランナーにスラットを吊下支持する吊下軸を回転可能に支持し、チルト軸を操作装置で回転操作可能とし、前記各ランナーには前記チルト軸の回転を前記吊下軸に伝達するギヤ機構を設け、前記チルト軸と吊下軸とギヤ機構とにより前記スラットを回動するチルト装置を構成し、前記操作装置の操作により前記チルト装置を介して前記スラットを回動操作可能とした縦型ブラインドにおいて、
前記スラットで第一及び第二のスラット群を構成し、前記チルト装置には第二のスラット群に対し第一のスラット群の回動開始タイミングを遅延させる回動遅延装置を備え、
前記回動遅延装置は、前記チルト軸を第一軸部と第二軸部に分割し、前記第一軸部と第二の軸部との間に、前記第一軸部の回転を所定角度遅延させる遅延機構を備え、前記第一の軸部で前記第二のスラット群を回動させ、前記第二の軸部で前記第一のスラット群を回動させることを特徴とする縦型ブラインド。
【請求項５】
ハンガーレールに多数のランナーを支持し、前記各ランナーにスラットを吊下支持する吊下軸を回転可能に支持し、チルト軸を操作装置で回転操作可能とし、前記各ランナーには前記チルト軸の回転を前記吊下軸に伝達するギヤ機構を設け、前記チルト軸と吊下軸とギヤ機構とにより前記スラットを回動するチルト装置を構成し、前記操作装置の操作により前記チルト装置を介して前記スラットを回動操作可能とした縦型ブラインドにおいて、
前記スラットで第一及び第二のスラット群を構成し、前記チルト装置には第二のスラット群に対し第一のスラット群の回動開始タイミングを遅延させる回動遅延装置を備え、
前記ギヤ機構と吊下軸との間には、所定値以下の回転トルクを伝達するトルク伝達装置を備えたことを特徴とする縦型ブラインド。
【請求項６】
前記ギヤ機構と吊下軸との間には、所定値以下の回転トルクを伝達するトルク伝達装置を備えたことを特徴とする請求項１乃至４のいずれか１項に記載の縦型ブラインド。
【発明の詳細な説明】
【技術分野】
【０００１】
この発明は、複数のスラット群を異なる角度に角度調節可能とした縦型ブラインドに関するものである。
【背景技術】
【０００２】
縦型ブラインドは、ハンガーレール内を移動可能に支持された多数のランナーからそれぞれスラットが角度調節可能に吊下支持され、スラットをハンガーレールに沿って引き出し、かつスラットの角度を調節することにより、室内への採光量を適宜調節可能である。
【０００３】
特許文献１には、ハンガーレールの一端側のスラットを、スラットを移送するための操作コードを操作することなく移動させて、窓の開閉や掃除等の作業を行なうことを可能とした縦型ブラインドが開示されている。
【０００４】
特許文献２には、多数の翼板を手動で独立して回動操作可能とした遮蔽装置が開示されている。
【特許文献１】特開２０００−１６０９６５号公報
【特許文献２】実開昭５３−１３２７３０号公報
【発明の開示】
【発明が解決しようとする課題】
【０００５】
通常の縦型ブラインドでは、各スラットは同位相で角度調節されるため、例えばハンガーレールの一端部で外光を採り入れ、他の部分では外光を遮断するようにすることはできない。
【０００６】
特許文献１に記載された縦型ブラインドでは、図１４に示すように、ハンガーレール３１の一端部でスラット３２を畳み込み、他の部分ではスラット３２をハンガーレール３１に沿う方向に維持して、ハンガーレール３１の一端部からのみ外光を採り入れるようにすることができる。
【０００７】
しかし、スラット３２を畳み込むと、ハンガーレールの一端部の室外側から、角度θの範囲で室内を覗き見可能となり、室外からの視界から遮られる室内空間Ｓ１が狭くなる。
特許文献２に記載された遮蔽装置では、任意の翼板を回動操作して外光を採り入れ可能であるが、各翼板をそれぞれ手動で回動する必要があるため、その操作が煩雑である。
【０００８】
この発明の目的は、複数のスラット群を異なる角度でかつ連動して角度調節可能として、外光を遮断するスラット群と、外光を採り入れ可能とするスラット群を形成可能とした縦型ブラインドを提供することにある。
【課題を解決するための手段】
【０００９】
請求項１では、ハンガーレールに多数のランナーを支持し、前記各ランナーにスラットを吊下支持する吊下軸を回転可能に支持し、チルト軸を操作装置で回転操作可能とし、前記各ランナーには前記チルト軸の回転を前記吊下軸に伝達するギヤ機構を設け、前記チルト軸と吊下軸とギヤ機構とにより前記スラットを回動するチルト装置を構成し、前記操作装置の操作により前記チルト装置を介して前記スラットを回動操作可能とした縦型ブラインドにおいて、前記スラットで第一及び第二のスラット群を構成し、前記チルト装置には第二のスラット群に対し第一のスラット群の回動開始タイミングを遅延させる回動遅延装置を備えた。
【００１０】
また、前記ギヤ機構は、前記チルト軸の回転を前記吊下軸に伝達するウォーム機構で構成し、前記ウォーム機構のウォームに挿通孔を設けて前記チルト軸を挿通し、前記回動遅延装置を前記第一のスラット群を吊下支持するランナーのギヤ機構にのみ設け、前記回動遅延装置は前記第一のスラット群を吊下支持するランナーのウォームと前記チルト軸との間に、前記チルト軸を所定角度の範囲で空回り可能とする空回り手段を備えた。
【００１１】
請求項２では、前記空回り手段は、前記チルト軸に形成した断面平板状の第一軸部と、
前記第一軸部を所定角度の範囲で空回り可能とする挿通孔とを備えた。
請求項３では、前記空回り手段は、前記第一及び第二のスラット群のランナーに挿通するチルト軸を共通の断面形状とし、前記第一のスラット群を吊下支持するランナーのウォームに前記チルト軸を空回りさせる挿通孔を設け、前記第二のスラット群を吊下支持するランナーのウォームに前記チルト軸を空回りさせない挿通孔を備えた。
【００１２】
請求項４では、ハンガーレールに多数のランナーを支持し、前記各ランナーにスラットを吊下支持する吊下軸を回転可能に支持し、チルト軸を操作装置で回転操作可能とし、前記各ランナーには前記チルト軸の回転を前記吊下軸に伝達するギヤ機構を設け、前記チルト軸と吊下軸とギヤ機構とにより前記スラットを回動するチルト装置を構成し、前記操作装置の操作により前記チルト装置を介して前記スラットを回動操作可能とした縦型ブラインドにおいて、前記スラットで第一及び第二のスラット群を構成し、前記チルト装置には第二のスラット群に対し第一のスラット群の回動開始タイミングを遅延させる回動遅延装置を備え、前記回動遅延装置は、前記チルト軸を第一軸部と第二軸部に分割し、前記第一軸部と第二の軸部との間に、前記第一軸部の回転を所定角度遅延させる遅延機構を備え、前記第一の軸部で前記第二のスラット群を回動させ、前記第二の軸部で前記第一のスラット群を回動させる。
【００１３】
請求項５では、ハンガーレールに多数のランナーを支持し、前記各ランナーにスラットを吊下支持する吊下軸を回転可能に支持し、チルト軸を操作装置で回転操作可能とし、前記各ランナーには前記チルト軸の回転を前記吊下軸に伝達するギヤ機構を設け、前記チルト軸と吊下軸とギヤ機構とにより前記スラットを回動するチルト装置を構成し、前記操作装置の操作により前記チルト装置を介して前記スラットを回動操作可能とした縦型ブラインドにおいて、前記スラットで第一及び第二のスラット群を構成し、前記チルト装置には第二のスラット群に対し第一のスラット群の回動開始タイミングを遅延させる回動遅延装置を備え、前記ギヤ機構と吊下軸との間には、所定値以下の回転トルクを伝達するトルク伝達装置を備えた。
請求項６では、前記ギヤ機構と吊下軸との間には、所定値以下の回転トルクを伝達するトルク伝達装置を備えた。
【発明の効果】
【００１４】
本発明によれば、複数のスラット群を異なる角度でかつ連動して角度調節可能として、外光を遮断するスラット群と、外光を採り入れ可能とするスラット群を形成可能とした縦型ブラインドを提供することができる。
【発明を実施するための最良の形態】
【００１５】
（第一の実施の形態）
以下、この発明を具体化した第一の実施の形態を図面に従って説明する。図１に示す縦型ブラインドは、ハンガーレール１から多数枚のスラット２が吊下支持され、各スラット２はハンガーレール１内に移動可能に支持されるランナー３から吊下支持される。前記スラット２は遮光性を備えた生地で構成され、第一及び第二のスラット群Ｇ１，Ｇ２を構成している。
【００１６】
そして、スラット２を引き出した状態では、スラット２の全枚数のうち、ハンガーレール１に沿って先行して引き出される半分の枚数のスラット２が第一のスラット群Ｇ１となり、残りの半分のスラット２が第二のスラット群Ｇ２となる。
【００１７】
各ランナー３には、チルト軸４が軸方向に相対移動可能に挿通され、そのチルト軸４の両端はハンガーレール１の両端に取着されるエンドキャップ５ａ，５ｂに回転可能に支持されている。
【００１８】
図２及び図３に示すように、前記各ランナー３には前記スラット２を吊下支持する吊下軸６が回転可能に支持され、その吊下軸６の下端部にフック７が設けられている。そして、各フック７に前記スラット２を吊下支持するスラットハンガー１４が掛装される。
【００１９】
前記ハンガーレール１の一端には操作棒（操作装置）９が吊下支持され、その操作棒９を回転させると、エンドキャップ５ａ内に配設されるギヤ機構（図示しない）を介して前記チルト軸４が回転される。そして、チルト軸４の回転にともなって各ランナー３の吊下軸６が回転され、各ランナー３に吊下支持されるスラット２が回動されるようになっている。
【００２０】
前記エンドキャップ５ａから垂下される操作コード１０は、前記ハンガーレール１内を周回可能に配設され、前記ランナー３のうち例えば最もエンドキャップ５ａ側に垂下される先頭ランナーに取着されている。また、各ランナー３はスペーサー１１で連結され、そのスペーサー１１で各ランナー３の最大離間距離が設定されている。
【００２１】
従って、操作コード１０を操作して先頭ランナーを移動させれば、その先頭ランナーに追随して後続のランナーが順次引き出され、あるいは後続のランナーが先頭ランナーにより順次押し戻される。このような動作により、各ランナー３に吊下支持されたスラット２がハンガーレール１に沿って引き出され、あるいはハンガーレール１の他端側に畳み込まれる。
【００２２】
前記ランナー３内には前記チルト軸４の回転にともなって前記吊下軸６を回転させるギヤ機構８が内蔵されている。このギヤ機構８は、ランナー３に回転可能に支持されるウォーム１２と、前記吊下軸６に回転可能に支持されるウォームホィール１３とからなるウォーム機構で構成され、前記ウォーム１２に前記チルト軸４が挿通されている。そして、チルト軸４の回転に基づいてウォーム１２が回転され、ウォーム１２が回転されるとウォームホィール１３が回転される。なお、各ランナー３のウォーム１２とウォームホィール１３のギヤ比は同一である。
【００２３】
前記吊下軸６の上端部とウォームホィール１３の上縁との間にはコイルスプリング（トルク伝達装置）１５が配設されている。そして、ウォームホィール１３の回転は、常にはコイルスプリング１５の付勢力による摩擦を介して吊下軸６に伝達される。
【００２４】
また、吊下軸６とランナー３との間には回動範囲を設定するストッパ（図示しない）が設けられ、吊下軸６の回転とともに前記スラット２がハンガーレール１にほぼ沿う方向まで回動されると、吊下軸６の同方向へのそれ以上の回転が阻止される。そして、吊下軸６の回転が阻止された状態では、ウォームホィール１３は吊下軸６に対し空回りするようになっている。
【００２５】
図４に示すように、前記チルト軸４はその中央を境界として一端側と他端側とで断面形状が異なる第一軸部１６ａと第二軸部１６ｂとで構成される。一端側の第一軸部１６ａは、図２に示すように、その断面形状はほぼ平板状に形成され、前記ウォーム１２に形成された挿通孔１７に挿通されている。
【００２６】
挿通孔１７は、第一軸部１６ａをほぼ６０度の範囲で正逆方向に空回り可能とする形状に形成されている（回動遅延装置、空回り手段）。具体的には、挿通孔１７は円形の孔の内周面の対向する位置に、山形の突起を備えた形状であり、第一軸部１６ａがウォーム１２とともに回転する状態から逆方向へ回転させるとき、ウォーム１２に対し第一軸部１６ａが略６０度空回りする。
【００２７】
また、図３に示すように、第二軸部１６ｂは丸軸の外周面に挿通孔１７の山形の突起に対応する凹条が形成されている。そして、挿通孔１７に挿通された第二軸部１６ｂはその凹条と挿通孔１７の突起とが常時噛み合って、ウォーム１２が第二軸部１６ｂと一体に回転される。
【００２８】
このような構成により、チルト軸４の第二軸部１６ｂ上に位置するランナー３は、チルト軸４の回転とともにウォーム１２が回転してスラット２が回動されるが、チルト軸４の回転方向が反転するとき、第一軸部１６ａ上に位置するランナー３は、チルト軸４がほぼ６０度回転した後に、ウォーム１２の回転が開始される。
【００２９】
次に、上記のように構成された縦型ブラインドの動作を説明する。操作コード１０を操作して、先頭ランナー３をハンガーレール１に沿って引き出すと、後続のランナー３が所定間隔を隔てて順次引き出される。そして、先頭ランナー３をハンガーレール１の一端まで引き出した後、操作棒９を操作して各スラット２をハンガーレール１に沿う方向に回動させると、図１に示すように、全閉状態となる。
【００３０】
このとき、第一軸部１６ａ上に位置するランナー３から吊下支持されるスラット２が第一のスラット群Ｇ１となり、第二軸部１６ｂ上に位置するランナー３から吊下支持されるスラット２が第二のスラット群Ｇ２となる。
【００３１】
図５（ａ）〜（ｊ）は、全閉状態まで回動されたスラット２をほぼ１８０度回動させて再び全閉状態とするまでの第一及び第二のスラット群Ｇ１，Ｇ２のスラット２の回転角度の遷移を示す。
【００３２】
図５（ａ）に示すスラット２の全閉状態から、操作棒９を操作してスラット２を回動させると、第二のスラット群Ｇ２は直ちに回動されるが、図６（ａ）（ｂ）に示すように、チルト軸４の第一軸部１６ａは、第一のスラット群Ｇ１のランナー３のウォーム１２に対しほぼ６０度空回りする。このため、図５（ｂ）に示すように、第一のスラット群Ｇ１は第二のスラット群Ｇ２が６０度回動されるまで回動されない。
【００３３】
そして、操作棒９をさらに同方向に操作すると、図６（ｃ）に示すように、第一軸部１６ａとともにウォーム１２が回動されて、図５（ｃ）（ｄ）に示すように第一のスラット群Ｇ１は第二のスラット群Ｇ２より６０度遅れて回動する。
【００３４】
第二のスラット群Ｇ２がハンガーレール１にほぼ沿う方向まで回動されると、第二のスラット群Ｇ２のそれ以上の回動は阻止され、第一のスラット群Ｇ１のみが同方向に回動され、図５（ｅ）に示すように第一及び第二のスラット群Ｇ１，Ｇ２が全閉状態まで回動される。
【００３５】
また、図５（ｅ）に示す状態から、操作棒９を逆方向に回動操作すると、第二のスラット群Ｇ２は直ちに回動されるが、図７（ａ）（ｂ）に示すように、チルト軸４の第一軸部１６ａは、第一のスラット群Ｇ１のランナー３のウォーム１２に対しほぼ６０度空回りする。このため、図５（ｆ）に示すように、第一のスラット群Ｇ１は第二のスラット群Ｇ２が６０度回動されるまで回動されない。
【００３６】
そして、操作棒９をさらに同方向に操作すると、図５（ｇ）に示すように、第一軸部１６ａとともにウォーム１２が回動されて、図５（ｈ）（ｉ）に示すように第一のスラット群Ｇ１は第二のスラット群Ｇ２より６０度遅れて回動する。
【００３７】
第二のスラット群Ｇ２がハンガーレール１にほぼ沿う方向まで回動されると、第二のスラット群Ｇ２のそれ以上の回動は阻止され、第一のスラット群Ｇ１のみが同方向に回動され、図５（ｊ）に示すように第一及び第二のスラット群Ｇ１，Ｇ２が全閉状態まで回動される。
【００３８】
上記のように構成された縦型ブラインドでは、次に示す作用効果を得ることができる。
（１）操作棒９の回転操作により、第一のスラット群Ｇ１と、第二のスラット群Ｇ２とを並行して回動操作することができるとともに、第一のスラット群Ｇ１のスラット２と、第二のスラット群Ｇ２のスラット２とを異なる角度に回動させることができる。
（２）第一及び第二のスラット群Ｇ１を全閉状態から回動させるとき、第一のスラット群Ｇ１を第二のスラット群Ｇ２より遅らせて回動させることができる。従って、図８に示すように、第一のスラット群Ｇ１を全閉状態に維持しながら、第二スラット群Ｇ２を回動させることができ、この状態では第二のスラット群Ｇ２部分からのみ外光を採り入れることができる。また、第二のスラット群Ｇ２を移送することなく外光を採り入れることができるので、室外からの視界から遮られる室内空間Ｓ２を拡大することができるとともに、これらの操作を容易に行うことができる。
（３）図９に示すように、第二のスラット群Ｇ２を全閉状態まで回動した状態では、第一のスラット群Ｇ１は未だ全閉状態まで回動されないので、第一のスラット群Ｇ１部分からのみ外光を採り入れることができる。また、第一のスラット群Ｇ１を移送することなく外光を採り入れることができるので、室外からの視界から遮られる室内空間Ｓ３を拡大することができる。
（第二の実施の形態）
図１０及び図１１は、第二の実施の形態を示す。この実施の形態は、ハンガーレール１の両端部に第一及び第二のスラット群Ｇ１，Ｇ２を畳み込む両開き型の縦型ブラインドである。
【００３９】
チルト軸４は第一軸部１８ａと第二軸部１８ｂに分割され、遅延機構１９を介して連結されている。そして、第一軸部１８ａに第二のスラット群Ｇ２を吊下支持するランナー３が移動可能に支持され、第二軸部１８ｂに第一のスラット群Ｇ１を吊下支持するランナー３が移動可能に支持されている。
【００４０】
前記第一軸部１８ａ及び第二軸部１８ｂは、各ランナー３のウォームに対し空回りが生じない通常の縦型ブラインドと同様である。
前記遅延機構１９は、図１１（ａ）に示すように、ケース２０内において第一軸部１８ａと第二軸部１８ｂの端部に連結部材２１ａ，２１ｂが嵌着されている。連結部材２１ａの先端部には係合突部２２が形成され、その係合突部２２が連結部材２１ｂの先端部に形成された係合凹部２３に挿通されている。そして、前記係合突部２２と係合凹部２３はほぼ６０度の範囲で相対回動可能となっている。
【００４１】
このような構成により、第一の実施の形態と同様に、操作棒の操作により第一軸部１８ａが回転されると、第二軸部１８ｂは第一軸部１８ａが６０度回転するまで回転されず、第一軸部１８ａが６０度回転された後は、第一軸部１８ａと第二軸部１８ｂが一体に回転される。
【００４２】
従って、第一及び第二のスラット群Ｇ１，Ｇ２を引き出して全閉状態に回動した状態から操作棒を操作すると、第一のスラット群Ｇ１は第二のスラット群Ｇ２より６０度遅れて回動される。このような動作により、前記第一の実施の形態と同様な作用効果を得ることができる。
（第三の実施の形態）
図１２及び図１３は、第三の実施の形態を示す。この実施の形態のチルト軸４は、その全長に亘って同一の断面形状であり、図１３に示すように、その断面形状は平板状である。
【００４３】
第一のスラット群Ｇ１を吊下支持するランナー３のウォーム１２の挿通孔２４ａは、図１３（ａ）に示すように、チルト軸４をほぼ６０度の範囲で相対回転可能とする形状である。
【００４４】
また、第二のスラット群Ｇ２を吊下支持するランナー３のウォーム１２の挿通孔２４ｂは、図１３（ｂ）に示すように、チルト軸４を相対回転不能とする形状である。その他の構成は、前記第一の実施の形態と同様である。
【００４５】
このような構成により、ハンガーレールに沿って引き出した第一及び第二のスラット群Ｇ１，Ｇ２が全閉状態まで回動された状態から、操作棒の操作によりチルト軸４が回転されて第一及び第二のスラット群Ｇ１，Ｇ２が回動されるとき、第一のスラット群Ｇ１は第二のスラット群Ｇ２に対し６０度遅れて回動される。
【００４６】
従って、この実施の形態でも前記第一の実施の形態と同様な作用効果を得ることができる。また、第一のスラット群Ｇ１は、チルト軸４上のいずれの位置でも、第二のスラット群Ｇ２に対し６０度遅らせて回動させることができる。
【００４７】
上記実施の形態は、以下の態様で実施してもよい。
・第一の実施の形態において、第一軸部１６ａと第二軸部１６ｂは、チルト軸４の全長を２等分する長さ以外に、１：２あるいは１：３というように、任意の比率の長さとしてもよい。
・第一のスラット群Ｇ１と第二のスラット群Ｇ２の角度差は、６０度以外の任意の角度としてもよい。
【図面の簡単な説明】
【００４８】
【図１】縦型ブラインドを示す正面図である。
【図２】第一の実施の形態のランナーを示す側面図である。
【図３】第一の実施の形態のランナーを示す側面図である。
【図４】第一の実施の形態のチルト軸を示す平面図である。
【図５】（ａ）〜（ｊ）はスラットの回動動作を示す説明図である。
【図６】（ａ）〜（ｃ）はチルト軸の動作を示す説明図である。
【図７】（ａ）（ｂ）はチルト軸の動作を示す説明図である。
【図８】採光動作を示す説明図である。
【図９】採光動作を示す説明図である。
【図１０】第二の実施の形態のチルト軸を示す平面図である。
【図１１】（ａ）（ｂ）はチルト軸の遅延機構を示す断面図である。
【図１２】第三の実施の形態のチルト軸を示す平面図である。
【図１３】（ａ）（ｂ）は第三の実施の形態のウォームを示す側面図である。
【図１４】従来の採光動作を示す説明図である。
【符号の説明】
【００４９】
１…ハンガーレール、２…スラット、３…ランナー、４…チルト軸、６…吊下軸、８…ギヤ機構、９…操作装置（操作棒）、１２…チルト装置（ウォーム）、１５…トルク伝達装置（コイルスプリング）、１６ａ，１８ａ…回動遅延装置（空回り手段、第一軸部）、１６ｂ，１８ｂ…第二軸部、１７…回動遅延装置（空回り手段、挿通孔）、１９…回動核遅延装置（遅延機構）、Ｇ１…第一のスラット群、Ｇ２…第二のスラット群。
【図１】
0005055111.tif 000002
【図２】
0005055111.tif 000003
【図３】
0005055111.tif 000004
【図４】
0005055111.tif 000005
【図５】
0005055111.tif 000006
【図６】
0005055111.tif 000007
【図７】
0005055111.tif 000008
【図８】
0005055111.tif 000009
【図９】
0005055111.tif 000010
【図１０】
0005055111.tif 000011
【図１１】
0005055111.tif 000012
【図１２】
0005055111.tif 000013
【図１３】
0005055111.tif 000014
【図１４】
0005055111.tif 000015